(57)【要約】  【課題】  防水板の前方に当接回避用の開閉蓋などを別途備えなくても、防水板を起立する際に防水板と床面とが当接することなくスムーズに起立可能な防水装置を提供する。  【解決手段】  防水板３の軸体８を軸着させる軸受７の軸受孔３０を前後方向へスリット状に形成すると共に、防水板３を後方へ常時引っ張るバネ筒を備える。また、防水板３の起立初期時にはバネ筒の引っ張り力を利用し、軸体８を軸受孔３０の後方へ案内して防水板３を後退させ、起立初期時における防水板３の基端縁３ａと、支柱間に形成される床面４７との当接を回避するようにする、カム４０とカムガイド４１とからなる案内手段３９を備える。【選択図】  図８
2005120768.tif 000002
【特許請求の範囲】
【請求項１】
建物などの入口の両側壁面に一対の支柱を対向立設し、各支柱間の床面下に備えた軸受に防水板の基端側に備えた軸体を回動自在に軸着すると共に、防水板の下位には前記軸体を回動させることで防水板を起伏させるスクリュージャッキと、該スクリュージャッキを駆動する駆動モータとを備え、防水板を床面より垂直に起立させたときには前記支柱と可撓性部材を介在して当接し、防水板を倒伏させたときには床面と水平となるようにした防水装置であって、前記防水板の軸体を軸着させる軸受の軸受孔を前後方向へスリット状に形成し、防水板を後方へ常時引っ張る引っ張り手段を備えると共に、倒伏状態の防水板の起立初期時には防水板の基端縁と床面との当接を回避させるように前記引っ張り手段の引っ張り力を利用して防水板の軸体を軸受のスリット後方へ案内し、回避後は起立完了時に防水板と支柱とを密着させて水の侵入を阻止させるように引っ張り手段の引っ張り力に抗して防水板の軸体を軸受のスリット前方へ案内する案内手段を備えたことを特徴とする防水装置。
【請求項２】
前記案内手段は、防水板の軸体に備えたカムと、軸受近傍に備えたカムガイドとからなることを特徴とする請求項１記載の防水装置。
【発明の詳細な説明】
【技術分野】
【０００１】
本発明は、台風や集中豪雨などによる増水が発生した際に、地下道や建物などの入口から水が浸入するのを防止する防水装置に関する。
【背景技術】
【０００２】
台風や集中豪雨などによって増水が発生すると、地下道や建物などの入口の床面を水位が超えるような場合があり、その際には通路や屋内が浸水するなどして甚大な被害を及ぼすおそれがある。そこで、このような事態に備えて、地下道や建物などの入口に浸水防止用の防水装置を設置することが従来より行われており、本出願人も既に好適な防水装置を提案している。
【０００３】
図１１乃至図１３は、この従来の防水装置１０１を説明するものであって、建物などの入口の両側壁面に対向させて立設する一対の支柱１０２と、起立時には前記支柱１０２と当接し、倒伏したときには水平となる起伏自在とした防水板１０３とを配設している。更に、前記防水板１０３の下方に防水板１０３を起伏させるスクリュージャッキ１０４を配設している。そして、防水板１０３を倒伏した状態が床面と同一レベルとなるように設置し、通常時には通行可能とする一方、増水時には防水板１０３の基端部上位に備えた、防水板１０３の起立初期時に防水板１０３の基端縁１０３ａと、支柱１０２間に形成される床面との当接を回避するための開閉蓋１０５を開放した後、着脱自在のハンドル１０６をスクリュージャッキ１０４の駆動軸１０７に嵌め込み、ハンドル１０６を回転させて防水板１０３を起立させ、支柱１０２に配設した水密ゴム１０８、１０９に密着させて水の浸入を阻止するようにしており、防水板１０３の設置や片付けに比較的手間が要らないように図っている。
【特許文献１】特願２００２−２５７２１４号
【発明の開示】
【発明が解決しようとする課題】
【０００４】
しかしながら、上記の従来発明では、防水板１０３を起立させる際、防水板１０３の基端縁１０３ａと床面との当接を回避させるため、いちいち防水板１０３前方の開閉蓋１０５を開放させる必要があって甚だ面倒であった。また、防水板１０３の起伏を駆動モータなどを使用して自動化しようとしても、この開閉蓋１０５の開閉操作がネックとなって容易に出来なかった。
【０００５】
本発明は上記の点に鑑み、防水板の前方に当接回避用の開閉蓋などを別途備えなくても、防水板を起立する際に防水板と床面とが当接することなくスムーズに起立可能な防水装置を提供することを課題とする。
【課題を解決するための手段】
【０００６】
上記の課題を解決するために、本発明の請求項１記載の防水装置にあっては、建物などの入口の両側壁面に一対の支柱を対向立設し、各支柱間の床面下に備えた軸受に防水板の基端側に備えた軸体を回動自在に軸着すると共に、防水板の下位には前記軸体を回動させることで防水板を起伏させるスクリュージャッキと、該スクリュージャッキを駆動する駆動モータとを備え、防水板を床面より垂直に起立させたときには前記支柱と可撓性部材を介在して当接し、防水板を倒伏させたときには床面と水平となるようにした防水装置であって、前記防水板の軸体を軸着させる軸受の軸受孔を前後方向へスリット状に形成し、防水板を後方へ常時引っ張る引っ張り手段を備えると共に、倒伏状態の防水板の起立初期時には防水板の基端縁と床面との当接を回避させるように前記引っ張り手段の引っ張り力を利用して防水板の軸体を軸受のスリット後方へ案内し、回避後は起立完了時に防水板と支柱とを密着させて水の侵入を阻止させるように引っ張り手段の引っ張り力に抗して防水板の軸体を軸受のスリット前方へ案内する案内手段を備えたことを特徴としている。
【０００７】
また、本発明の請求項２記載の防水装置にあっては、前記案内手段は、防水板の軸体に備えたカムと、軸受近傍に備えたカムガイドとからなることを特徴としている。
【発明の効果】
【０００８】
本発明に係る請求項１記載の防水装置によれば、防水板の軸体を軸着させる軸受の軸受孔を前後方向へスリット状に形成し、防水板を後方へ常時引っ張る引っ張り手段を備えると共に、倒伏状態の防水板の起立初期時には防水板の基端縁と床面との当接を回避させるように前記引っ張り手段の引っ張り力を利用して防水板の軸体を軸受のスリット後方へ案内し、回避後は起立完了時に防水板と支柱とを密着させて水の侵入を阻止させるように引っ張り手段の引っ張り力に抗して防水板の軸体を軸受のスリット前方へ案内する案内手段を備えたので、防水板の前方に当接回避用の開閉蓋などを別途備えなくても、防水板を起立する際に防水板と床面とが当接するおそれもなくスムーズに起立することができ、駆動モータなどによる防水板の自動起伏も容易に実現できる。
【０００９】
また、本発明に係る請求項２記載の防水装置によれば、前記案内手段は、防水板の軸体に備えたカムと、軸受近傍に備えたカムガイドとからなるので、ごくシンプルな構成で低コストで実現できると共に、メンテナンス性にも優れている。
【発明を実施するための最良の形態】
【００１０】
本発明に係わる請求項１記載の防水装置によれば、建物などの入口に設置した防水装置の防水板は、平常時には床面と面一となるように倒伏しており、人はこの防水板の上を歩いて自由に通行ができるようになっている。そして、台風や集中豪雨などによって増水が生じ、建物などの入口より浸水のおそれがあるときには、先ず、防水板の下位に備えた駆動モータを駆動してスクリュージャッキを駆動操作し、防水板を起立方向へ回動させていく。このとき、防水板は案内手段により、バネ筒の引っ張り力を利用して一旦後方へと案内されて後退する。こうすることにより、起立初期時における防水板の基端縁と床面との当接を回避し、防水板のスムーズな起立を可能としている。こうして、防水板の基端縁と床面との当接が回避された後には、再び案内手段により、今度はバネ筒の引っ張り力に抗して防水板を前方へと案内して前進させていく。こうすることにより、起立完了時における防水板と支柱との密着を可能とし、建物などの入口を確実に閉鎖して水の侵入を阻止する。
【００１１】
また、建物内への水の浸入のおそれがなくなれば、前記と逆の操作にて防水板を倒伏方向へ回動させていく。このとき、防水板は案内手段により、バネ筒の引っ張り力を利用して一旦後方へと案内されて後退し、倒伏初期時における防水板と床面との当接を回避し、防水板のスムーズな倒伏を可能としている。そして、防水板と床面との当接が回避された後には、再び案内手段により、今度はバネ筒の引っ張り力に抗して防水板を前方へと案内して前進させていき、倒伏完了時における防水板の基端縁と床面との隙間を極力小さくして、通常の通行に支障の無いようにする。
【００１２】
このように、上記防水装置の防水板は、起立及び倒伏動作の初期時に一時的に後退し、防水板と床面との当接を回避可能としているため、防水板の前方に当接回避用の開閉蓋などを別途備える必要が無く、防水板の自動起伏が容易に実現可能となる。
【００１３】
また、本発明に係わる請求項２記載の防水装置によれば、防水板の軸体にカムを備えると共に、軸受近傍にカムガイドを備える。そして、駆動モータを駆動してスクリュージャッキを駆動操作し、防水板の軸体を回動させて防水板を起伏動作させる。このとき、軸体の回動に伴って軸体に備えたカムが回動し、このカムがカムガイドに案内されることで軸体をスリット状の軸受孔に沿って前後進させ、起伏動作時における防水板と床面との当接を回避させる。
【００１４】
このように、防水板の軸体を前後に案内する案内手段がカムとカムガイドとからなるごくシンプルな構成であるため、低コストで実現できると共に、メンテナンス性にも優れている。
【実施例１】
【００１５】
以下、本発明の実施例を図面に基づいて説明する。
【００１６】
図中の１は、建物などの入口に設置して内部への水の浸入を阻止する防水装置であって、入口の両側壁面に対向させて立設する一対の支柱２と、起立時には前記支柱２に当接して水の浸入を阻止する起伏自在とした防水板３と、該防水板３を起伏動作させるスクリュージャッキ４、及び該スクリュージャッキ４を駆動する駆動モータ５とを主な構成としている。
【００１７】
前記防水板３は、支持台６上に一対配設した軸受７に回動自在に軸支した軸体８に固着した固着片９に取り付けており、軸体８の回動に伴って起伏自在としている。そして、防水板３を倒伏したときに、防水板３の先端に取り付けた係合片１０を中間枠１１に固定した係止片１２に係止し、水平に維持して床面となるようにしている。また、防水板３を起立させたときには、支柱２に縦方向に配設した可撓性部材である水密ゴム１３に当接させると共に、一対の支柱２の下部間に水平に掛け渡した水密ゴム１４に当接させ、建物などの入口を閉鎖して建物内部への水の浸入を阻止するようにしている。
【００１８】
一対あるスクリュージャッキ４のジャッキ本体１５は、外枠１６に取り付けた支持部材１７へ軸体１８により回動自在に軸支し、ジャッキ本体１５に取り付けたスクリューロッド１９を雌螺子２０を備えた外筒２１に螺入すると共に、その外筒２１の先端材２２を、防水板３を取り付けた軸体８に固着した回動片２３へ軸体２４を介して連結している。
【００１９】
２５は駆動モータ５からの駆動力をスクリュージャッキ４へ伝達するためのギヤボックスであって、該ギヤボックス２５の前面には駆動モータ５の駆動軸２６を連結している一方、ギヤボックス２５の両側面にはそれぞれギヤボックス２５内のベベルギヤを介して連結軸２７を取り付けており、各連結軸２７はそれぞれジャッキ本体１５へ連結している。
【００２０】
そして、駆動モータ５を駆動して駆動軸２６を回転させると、ギヤボックス２５を介して連結軸２７が回転し、次いでジャッキ本体１５を介してスクリュージャッキ４のスクリューロッド１９が回転する。そして、スクリューロッド１９が雌螺子２０に出入りすることによって外筒２１を前後に移動させて外筒２１の先端材２２に連結した回動片２３を回動させ、その結果、軸体８が回動して防水板３を起伏させることができる構成としている。
【００２１】
２８は手動操作用のギヤボックスであって、駆動モータ５の調子が悪いときなどの非常時には、別途備えたギヤボックス操作用のハンドルを前記ギヤボックス２８上部に備えたハンドル固定軸２９へ固定して回転させると、駆動モータ５の場合と同様に防水板３を起伏させることができるようにしている。
【００２２】
また、防水板３の軸体８を軸支する軸受７の軸受孔３０は、図５に示すように前後方向へスリット状に形成しており、軸体８を前後方向へ摺動自在とすることで防水板３を前後へずらせるように構成している。３１は防水板３を常時後方へ引っ張るための引っ張り手段であるバネ筒であって、バネ筒本体３２を支持台３３に取り付けた支持部材３４へ軸体３５により回動自在に軸支する一方、バネ筒本体３２にはロッド３６を出没自在に備え、該ロッド３６はバネ筒本体３２内部に備えたバネ体（図示せず）によってバネ筒本体３２側へ付勢させていると共に、ロッド３６の先端部を防水板３に取り付けた固定片３７へ軸体３８により回動自在に軸支させている。
【００２３】
軸体８の両端側には、防水板３の起立角度に応じて防水板３を適宜前後へ案内させる案内手段３９を備えており、該案内手段３９は、軸体８両端部に固着したカム４０と、軸受７の近傍に立設したカムガイド４１とからなっている。前記カム４０は、図に示すような形状の三片のカム歯４２、４３、４４を有している一方、カムガイド４１は、図に示すような形状の二枚のガイド板４５、４６をそれぞれ有している。
【００２４】
そして、防水板３が通常時の倒伏状態の場合には、図７に示すように、カム歯４２の先端部がガイド板４５の上縁部に当接し、前記バネ筒３１による引っ張り力に抗して防水板３の軸体８を軸受孔３０の先端部に位置させ、その結果、防水板３を支柱２を立設している前方へ位置させて、防水板３の基端縁３ａと、支柱２間に形成した床面４７とを近接させて通行に支障の無いようにしている。
【００２５】
また、倒伏状態の防水板３を起立させていく際の起立初期時は、例えば防水板３の起立角度が約１°以上２０°以下の場合には、図８に示すように、カム歯４２の先端部がガイド板４５の上縁部に摺動しながらカム４０が回転していく。このとき、ガイド板４５の上縁部の形状は上方に近づくほど後方へ後退するように形成しているため、カム４０の回転に伴い、防水板３の軸体８はバネ筒３１の引っ張り力によって軸受孔３０の後方へと案内され、その結果、防水板３は後方へ後退して起立初期時における防水板３の基端縁３ａと床面４７との当接を回避可能としている。
【００２６】
また、防水板３を更に起立させていくと、例えば防水板３の起立角度が約２０°以上７０°以下の場合には、図９に示すように、カム歯４２とガイド板４５との当接が解除されると共に、次のカム歯４３の先端部がガイド板４６の縁部に当接し、その後はカム歯４３の先端部がガイド板４６の縁部に摺動しながらカム４０が回転していく。このとき、ガイド板４６の縁部の形状は、ガイド板４５とは逆に、上端に近づくほど前方へ前進するように形成しているため、カム４０の回転に伴い、防水板３の軸体８はバネ筒３１の引っ張り力に抗して軸受孔３０の前方へと案内され、その結果、防水板３は前方へと次第に前進していく。
【００２７】
そして、防水板３を更に起立させていき、例えば防水板３の起立角度が約７０°以上となった場合には、図１０に示すように、カム歯４３とガイド板４６との当接が解除されると共に、次のカム歯４４の先端部がガイド板４５の下縁部に当接し、その後はカム歯４４の先端部がガイド板４５の下縁部に摺動しながらカム４０が回転していく。このとき、ガイド板４５の下縁部の形状は、ガイド板４６と同様に、上方へ近づくほど前方へ前進するように形成していると共に、ガイド板４６よりも前方に位置しているため、カム４０の回転に伴い、防水板３の軸体８はバネ筒３１の引っ張り力に更に抗して軸受孔３０の前方へと案内されていき、防水板３の起立動作が完了したとき、即ち防水板３が垂直に起立したときには、軸体８は軸受孔３０の先端部へ収まり、その結果、防水板３の上面と水密ゴム１３、１４とが密着し、建物などの入口を閉鎖して建物内部への水の侵入を確実に阻止するようにしている。
【００２８】
なお、本実施例においてカム歯４２とカム歯４４との間に備えているカム歯４３は、カム４０の回動を滑らかにするためのものである。したがって、必ずしも本実施例のような形状にする必要はなく、適宜形状のものを採用すればよい。また、別のカム歯を適宜数増設してもよいし、或いはカム歯４２とカム歯４４だけでもカム４０の回動に特に支障がないようであれば、カム歯４３は省略することもできる。
【００２９】
しかして、建物などの入口に上記防水装置１を設置しておき、増水がない通常時には、防水板３は、図１乃至図６の実線で示すように、倒伏した状態として通行可能としておく。このとき、カム４０とカムガイド４１とからなる案内手段３９により、防水板３はバネ筒３１の引っ張り力に抗して前方へ位置しており、防水板３の基端縁３ａと、支柱２間に形成された床板４７とは近接して通行に支障が無いように図られている。そして、台風や集中豪雨などによって増水があれば、駆動モータ５を駆動させてスクリュージャッキ４を駆動操作し、防水板３を徐々に起立させていく。このとき、防水板３の起立初期時には、案内手段３９によって防水板３はバネ筒３１の引っ張り力を利用しながら後方へと案内されて後退し、起立初期時における防水板３の基端縁３ａと床板４７との当接を回避するように図られている。そして、防水板３が更に起立していくと、案内手段３９によって今度は防水板３はバネ筒３１の引っ張り力に抗して前方へと案内されて前進していき、防水板３が図中の二点鎖線で示すような垂直に起立すれば、防水板３の上面が支柱２や外枠１６に固着した水密ゴム１３、１４に密着し、建物の入口を閉鎖して建物内への水の侵入を確実に阻止する。
【００３０】
また、建物内への水の浸入のおそれがなくなれば、駆動モータ５を駆動させてスクリュージャッキ４を逆方向へ駆動操作し、防水板３を徐々に倒伏させていく。このとき、防水板３は倒伏開始後すぐに案内手段３９によってバネ筒３１の引っ張り力を利用しながら後方へと案内されて後退し、倒伏完了間際における防水板３の基端縁３ａと床板４７との当接を回避するように図られている。そして、防水板３が更に倒伏していくと、案内手段３９によって今度は防水板３はバネ筒３１の引っ張り力に抗して前方へと案内されて前進していき、防水板３が完全に倒伏すれば、防水板３は元の位置に収まって元通り通行が可能となる。
【００３１】
このように、本発明の防水装置１の防水板３では、起立及び倒伏動作の際に一時的に後退して防水板３の基端縁３ａと、支柱２間に形成される床面４７との当接を回避するようにしているため、防水板３の前方位置に当接回避用の開閉蓋などを別途備える必要が無く、本実施例のように、駆動モータ５を使用するなどしての防水板３の自動起伏が容易に実現可能となる。
【００３２】
また、案内手段３９をカム４０とカムガイド４１とからなるごくシンプルな構成としたため、低コストで実現できると共に、メンテナンス性にも優れている。
【図面の簡単な説明】
【００３３】
【図１】本発明に係る防水装置の一実施例を示す一部切り欠き正面図である。
【図２】図１の一部切り欠き平面図である。
【図３】図２の一部を省略したＡ−Ａ拡大断面図である。
【図４】図２の一部を省略したＢ−Ｂ拡大断面図である。
【図５】図２の一部を省略したＣ−Ｃ拡大断面図である。
【図６】図２の一部を省略したＤ−Ｄ拡大断面図である。
【図７】本発明の防水装置における防水板が倒伏状態のときの案内手段の状態を示す斜視図である。
【図８】図７の防水板の起立初期時における案内手段の状態を示す斜視図である。
【図９】図７の防水板の起立途中における案内手段の状態を示す斜視図である。
【図１０】図７の防水板の起立完了時における案内手段の状態を示す斜視図である。
【図１１】従来の防水装置を示す一部切り欠き正面図である。
【図１２】図１０の一部切り欠き平面図である。
【図１３】図１１のＸ−Ｘ拡大断面図である。
【符号の説明】
【００３４】
１…防水装置                        ２…支柱
３…防水板                          ３ａ…基端縁
４…スクリュージャッキ              ５…駆動モータ
７…軸受                            ８…軸体
１３、１４…水密ゴム（可撓性部材）  ２５、２８…ギヤボックス
３０…軸受孔                        ３１…バネ筒（引っ張り手段）
３９…案内手段                      ４０…カム
４１…カムガイド                    ４７…床面
【図１】
2005120768.tif 000003
【図２】
2005120768.tif 000004
【図３】
2005120768.tif 000005
【図４】
2005120768.tif 000006
【図５】
2005120768.tif 000007
【図６】
2005120768.tif 000008
【図７】
2005120768.tif 000009
【図８】
2005120768.tif 000010
【図９】
2005120768.tif 000011
【図１０】
2005120768.tif 000012
【図１１】
2005120768.tif 000013
【図１２】
2005120768.tif 000014
【図１３】
2005120768.tif 000015